(57)【要約】【課題】より他車両に配慮した自動運転を実現することができる車両制御装置、車両制御方法、およびプログラムを提供すること。【解決手段】自車両の操舵および速度を制御する運転制御部（１４０、１６０）と、自車両の周辺環境を認識する認識部（１３０）と、を備える、車両制御装置（１００）であり、前記運転制御部は、前記認識部により、自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御する、車両制御装置。【選択図】図２
2020082802.tif 000002
【特許請求の範囲】
【請求項１】
自車両の操舵および速度を制御する運転制御部と、
自車両の周辺環境を認識する認識部と、
を備える、車両制御装置であり、
前記運転制御部は、前記認識部により、自車両の進行方向において車両が停止することが好ましく無い領域に前走車両が停止してしまうと推定された場合、前記前走車両が前記領域から後退して自車両の前方に停止するためのスペースを空けるように前記自車両の速度または操舵を制御する、
車両制御装置。
【請求項２】
前記前走車両に前記スペースに関する情報を通知する、通知制御部をさらに備える、
請求項１に記載の車両制御装置。
【請求項３】
前記通知制御部は、前記スペースの地面を照明することで前記前走車両に前記スペースに関する情報を通知する、
請求項２に記載の車両制御装置。
【請求項４】
前記車両が停止することが好ましく無い領域は、踏切を含み、
前記運転制御部は、
前記踏切を通り前記自車両の走行する車線の対向車線の停止線と、前記前走車両の後端部との位置関係に基づいて、前記車両が停止することが好ましく無い領域に前走車両が停止してしまうか否かを推定する、
請求項１から３のうちいずれか１項に記載の車両制御装置。
【請求項５】
前記車両が停止することが好ましく無い領域は、踏切を含み、
前記運転制御部は、
前記踏切における前記踏切を通り前記自車両の走行する車線の対向車線を走行する車両に向けて設置された遮断機と前記前走車両の後端部との位置関係に基づいて、前記車両が停止することが好ましく無い領域に前走車両が停止してしまうか否かを推定する、
請求項１から４のうちいずれか１項に記載の車両制御装置。
【請求項６】
前記車両が停止することが好ましく無い領域は、交差点を含み、
前記運転制御部は、
前記交差点を通り前記自車両の走行する車線の対向車線の停止線と、前記前走車両の後端部との位置関係に基づいて、前記車両が停止することが好ましく無い領域に前走車両が停止してしまうか否かを推定する、
請求項１から５のうちいずれか１項に記載の車両制御装置。
【請求項７】
前記車両が停止することが好ましく無い領域は、一般車両の停車が制限された領域を含む、
請求項１から６のうちいずれか１項に記載の車両制御装置。
【請求項８】
前記認識部は、前記前走車両の減速度合を認識し、
前記運転制御部は、前記認識部により認識された前記減速度合に基づいて、前記前走車両が前記領域に停止してしまうか否かを推定する、
請求項１から７のうちいずれか１項に記載の車両制御装置。
【請求項９】
前記運転制御部は、前記認識部が前記領域に前記前走車両が停止してしまうと推定し、且つ、減速または後退によって前記スペースが確保できない場合、前記自車両の進路を変更して移動することで前記スペースを確保する、
請求項１から８のうちいずれか１項に記載の車両制御装置。
【請求項１０】
前記運転制御部は、前記認識部により認識された前記領域に前記自車両の後方車両が停止してしまうと推定された場合、前記後方車両が前記領域を前進して自車両の後方に停止するためのスペースを空けるように前記自車両の速度または操舵を制御する、
請求項１から９のうちいずれか１項に記載の車両制御装置。
【請求項１１】
コンピュータが、
自車両の操舵および速度を制御し、
前記自車両の周辺環境を認識し、
前記認識において、前記自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御する、
車両制御方法。
【請求項１２】
コンピュータに、
自車両の操舵および速度を制御させ、
前記自車両の周辺環境を認識させ、
前記認識において、前記自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御させる、
プログラム。
【発明の詳細な説明】
【技術分野】
【０００１】
本発明は、車両制御装置、車両制御方法、およびプログラムに関する。
【背景技術】
【０００２】
従来、踏切などの停車回避エリアにおいて車両が停止してしまうといった異常状態にあることを周辺車両が検知した場合に、狭域双方向通信装置を用いて通報することで危機回避を行う技術が知られている（例えば、特許文献１）。
【０００３】
また、従来、自車両が交差点や踏切などの停車が禁止されている場所に誤って停車しないようにする停車回避エリア侵入警報装置の技術が開示されている（例えば、特許文献２）。
【先行技術文献】
【特許文献】
【０００４】
【特許文献１】特開２００７−２９７０１３号公報
【特許文献２】特開２０１７−０１６６０４号公報
【発明の概要】
【発明が解決しようとする課題】
【０００５】
しかしながら、従来の技術では、前走車両などの他車両への配慮が不十分であった。
【０００６】
本発明は、このような事情を考慮してなされたものであり、より他車両に配慮した自動運転を実現することができる車両制御装置、車両制御方法、およびプログラムを提供することを目的の一つとする。
【課題を解決するための手段】
【０００７】
この発明に係る車両制御装置、車両制御方法、およびプログラムは、以下の構成を採用した。
（１）：この発明の一態様に係る車両制御装置は、自車両の操舵および速度を制御する運転制御部と、自車両の周辺環境を認識する認識部と、を備える車両制御装置であり、前記運転制御部は、前記認識部により、自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御する、車両制御装置である。
【０００８】
（２）：上記（１）の態様において、前記前走車両に前記スペースに関する情報を通知する、通知部をさらに備えるもの。
【０００９】
（３）：上記（２）の態様において、前記通知部は、前記スペースの地面を照明することで前記前走車両に前記スペースに関する情報を通知するもの。
【００１０】
（４）：上記（１）から（３）のいずれかの態様において、前記車両が停止することが好ましく無い領域は、踏切を含み、前記運転制御部は、前記踏切を通り前記自車両の走行する車線の対向車線の停止線と、前記前走車両の後端部との位置関係に基づいて、前記車両が停止することが好ましく無い領域に前走車両が停止してしまうか否かを推定するもの。
【００１１】
（５）：上記（１）から（４）のいずれかの態様において、前記車両が停止することが好ましく無い領域は、踏切を含み、前記運転制御部は、前記踏切における前記踏切を通り前記自車両の走行する車線の対向車線を走行する車両に向けて設置された遮断機と前記前走車両の後端部との位置関係に基づいて、前記車両が停止することが好ましく無い領域に前走車両が停止してしまうか否かを推定するもの。
【００１２】
（６）：上記（１）から（５）のいずれかの態様において、前記車両が停止することが好ましく無い領域は、交差点を含み、前記運転制御部は、前記交差点を通り前記自車両の走行する車線の対向車線の停止線と、前記前走車両の後端部との位置関係に基づいて、前記車両が停止することが好ましく無い領域に前走車両が停止してしまうか否かを推定するもの。
【００１３】
（７）：上記（１）から（６）のいずれかの態様において、前記車両が停止することが好ましく無い領域は、一般車両の停車が制限された領域を含むもの。
【００１４】
（８）：上記（１）から（７）のいずれかの態様において、前記認識部は、前記前走車両の減速度合を認識し、前記運転制御部は、前記認識部により認識された前記減速度合に基づいて、前記前走車両が前記領域に停止してしまうか否かを推定するもの。
【００１５】
（９）：上記（１）から（８）のいずれかの態様において、前記運転制御部は、前記認識部が前記領域に前記前走車両が停止してしまうと推定し、且つ、減速または後退によって前記スペースが確保できない場合、前記自車両の進路を変更して移動することで前記スペースを確保するもの。
【００１６】
（１０）：上記（１）から（９）のいずれかの態様において、前記運転制御部は、前記認識部により認識された前記領域に前記自車両の後方車両が停止してしまうと推定された場合、前記後方車両が前記領域を前進して自車両の後方に停止するためのスペースを空けるように前記自車両の速度または操舵を制御するもの。
【００１７】
（１１）：この発明の一態様に係る車両制御方法は、コンピュータが、自車両の操舵および速度を制御し、前記自車両の周辺環境を認識し、前記認識において、前記自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御する、車両制御方法である。
【００１８】
（１２）：この発明の一態様に係るプログラムは、コンピュータに、自車両の操舵および速度を制御させ、前記自車両の周辺環境を認識させ、前記認識において、前記自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御させる、プログラムである。
【発明の効果】
【００１９】
（１）〜（１２）によれば、より他車両に配慮した自動運転を実現することができる。
【図面の簡単な説明】
【００２０】
【図１】第１の実施形態の車両制御装置１００を利用した車両システム１の構成図である。
【図２】第１制御部１２０および第２制御部１６０の機能構成図である。
【図３】踏切付近における自車両Ｍの前方風景の一例を示す図である。
【図４】踏切付近の前方風景を平面図にしたものである。
【図５】交差点付近の前方風景を平面図にしたものである。
【図６】前走車両ｍＡ１の位置を説明する平面図である。
【図７】車両制御装置１００の処理の流れの一例を示すフローチャートである。
【図８】踏切付近の前方風景を平面図にしたものである。
【図９】車両制御装置１００Ａの処理の流れの一例を示すフローチャートである。
【図１０】後方車両ｍＡ５の位置を説明する平面図である。
【図１１】実施形態の各種制御装置のハードウェア構成の一例を示す図である。
【発明を実施するための形態】
【００２１】
以下、図面を参照し、本発明の車両制御装置、車両制御方法、およびプログラムの実施形態について説明する。
【００２２】
＜第１の実施形態＞
［全体構成］
図１は、第１の実施形態の車両制御装置１００を利用した車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２３】
車両システム１は、例えば、カメラ１０と、レーダ装置１２と、ファインダ１４と、物体認識装置１６と、運転操作子８０と、車両制御装置１００と、走行駆動力出力装置２００と、ブレーキ装置２１０と、ステアリング装置２２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２４】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両（以下、自車両Ｍ）の任意の箇所に取り付けられる。前方を撮像する場合、カメラ１０は、フロントウインドシールド上部やルームミラー裏面等に取り付けられる。カメラ１０は、例えば、周期的に繰り返し自車両Ｍの周辺を撮像する。カメラ１０は、ステレオカメラであってもよい。
【００２５】
レーダ装置１２は、自車両Ｍの周辺にミリ波などの電波を放射すると共に、物体によって反射された電波（反射波）を検出して少なくとも物体の位置（距離および方位）を検出する。レーダ装置１２は、自車両Ｍの任意の箇所に取り付けられる。レーダ装置１２は、ＦＭ−ＣＷ（Frequency Modulated Continuous Wave）方式によって物体の位置および速度を検出してもよい。
【００２６】
ファインダ１４は、ＬＩＤＡＲ（Light Detection and Ranging）である。ファインダ１４は、自車両Ｍの周辺に光を照射し、散乱光を測定する。ファインダ１４は、発光から受光までの時間に基づいて、対象までの距離を検出する。照射される光は、例えば、パルス状のレーザー光である。ファインダ１４は、自車両Ｍの任意の箇所に取り付けられる。
【００２７】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を車両制御装置１００に出力する。物体認識装置１６は、カメラ１０、レーダ装置１２、およびファインダ１４の検出結果をそのまま車両制御装置１００に出力してよい。車両システム１から物体認識装置１６が省略されてもよい。
【００２８】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、自動運転車両の周辺に存在する他車両と通信し、或いは無線基地局を介して各種サーバ装置と通信する。
【００２９】
ＨＭＩ３０は、自動運転車両の乗員に対して各種情報を提示すると共に、乗員による入力操作を受け付ける。ＨＭＩ３０は、各種表示装置、スピーカ、ブザー、タッチパネル、スイッチ、キーなどを含む。
【００３０】
車両センサ４０は、自動運転車両の速度を検出する車速センサ、加速度を検出する加速度センサ、鉛直軸回りの角速度を検出するヨーレートセンサ、自動運転車両の向きを検出する方位センサ等を含む。
【００３１】
ナビゲーション装置５０は、例えば、ＧＮＳＳ受信機５１と、ナビＨＭＩ５２と、経路決定部５３とを備える。ナビゲーション装置５０は、ＨＤＤやフラッシュメモリなどの記憶装置に第１地図情報５４を保持している。ＧＮＳＳ受信機５１は、ＧＮＳＳ衛星から受信した信号に基づいて、自動運転車両の位置を特定する。自動運転車両の位置は、車両センサ４０の出力を利用したＩＮＳ（Inertial Navigation System）によって特定または補完されてもよい。ナビＨＭＩ５２は、表示装置、スピーカ、タッチパネル、キーなどを含む。ナビＨＭＩ５２は、前述したＨＭＩ３０と一部または全部が共通化されてもよい。経路決定部５３は、例えば、ＧＮＳＳ受信機５１により特定された自動運転車両の位置（或いは入力された任意の位置）から、ナビＨＭＩ５２を用いて乗員により入力された目的地までの経路（以下、地図上経路）を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。地図上経路は、ＭＰＵ６０に出力される。ナビゲーション装置５０は、地図上経路に基づいて、ナビＨＭＩ５２を用いた経路案内を行ってもよい。ナビゲーション装置５０は、例えば、乗員の保有するスマートフォンやタブレット端末等の端末装置の機能によって実現されてもよい。ナビゲーション装置５０は、通信装置２０を介してナビゲーションサーバに現在位置と目的地を送信し、ナビゲーションサーバから地図上経路と同等の経路を取得してもよい。
【００３２】
ＭＰＵ６０は、例えば、推奨車線決定部６１を含み、ＨＤＤやフラッシュメモリなどの記憶装置に第２地図情報６２を保持している。推奨車線決定部６１は、ナビゲーション装置５０から提供された地図上経路を複数のブロックに分割し（例えば、車両進行方向に関して１００［ｍ］毎に分割し）、第２地図情報６２を参照してブロックごとに推奨車線を決定する。推奨車線決定部６１は、左から何番目の車線を走行するといった決定を行う。推奨車線決定部６１は、地図上経路に分岐箇所が存在する場合、自動運転車両が、分岐先に進行するための合理的な経路を走行できるように、推奨車線を決定する。
【００３３】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報などが含まれてよい。第２地図情報６２は、通信装置２０が他装置と通信することにより、随時、アップデートされてよい。
【００３４】
運転操作子８０は、例えば、アクセルペダル、ブレーキペダル、シフトレバー、ステアリングホイール、異形ステア、ジョイスティックその他の操作子を含む。運転操作子８０には、操作量あるいは操作の有無を検出するセンサが取り付けられており、その検出結果は、車両制御装置１００、もしくは、走行駆動力出力装置２００、ブレーキ装置２１０、およびステアリング装置２２０のうち一部または全部に出力される。
【００３５】
車両制御装置１００は、例えば、第１制御部１２０と、第２制御部１６０と、通知制御部１８０とを備える。第１制御部１２０と第２制御部１６０と通知制御部１８０は、それぞれ、例えば、ＣＰＵなどのハードウェアプロセッサがプログラム（ソフトウェア）を実行することにより実現される。また、これらの構成要素のうち一部または全部は、ＬＳＩやＡＳＩＣ、ＦＰＧＡ、ＧＰＵなどのハードウェア（回路部；circuitryを含む）によって実現されてもよいし、ソフトウェアとハードウェアの協働によって実現されてもよい。プログラムは、予め車両制御装置１００のＨＤＤやフラッシュメモリなどの記憶装置（非一過性の記憶媒体を備える記憶装置）に格納されていてもよいし、ＤＶＤやＣＤ−ＲＯＭなどの着脱可能な記憶媒体に格納されており、記憶媒体（非一過性の記憶媒体）がドライブ装置に装着されることで車両制御装置１００のＨＤＤやフラッシュメモリにインストールされてもよい。
【００３６】
図２は、第１制御部１２０および第２制御部１６０の機能構成図である。第１制御部１２０は、例えば、認識部１３０と、行動計画生成部１４０とを備える。第１制御部１２０は、例えば、ＡＩ（Artificial Intelligence；人工知能）による機能と、予め与えられたモデルによる機能とを並行して実現する。例えば、「交差点を認識する」機能は、ディープラーニング等による交差点の認識と、予め与えられた条件（パターンマッチング可能な信号、道路標示などがある）に基づく認識とが並行して実行され、双方に対してスコア付けして総合的に評価することで実現されてよい。これによって、自動運転の信頼性が担保される。
【００３７】
認識部１３０は、自車両Ｍの周辺を認識し、認識した対象物の挙動を推定する。認識部１３０は、例えば、周辺認識部１３２と、推定部１３４とを備える。
【００３８】
周辺認識部１３２は、カメラ１０、レーダ装置１２、およびファインダ１４から物体認識装置１６を介して入力された情報に基づいて、自動運転車両の周辺にある物体（後述する前走車両や対向車両を含む）の位置、および速度、加速度等の状態を認識する。物体の位置は、例えば、自動運転車両の代表点（重心や駆動軸中心など）を原点とした絶対座標上の位置として認識され、制御に使用される。物体の位置は、その物体の重心やコーナー等の代表点で表されてもよいし、表現された領域で表されてもよい。物体の「状態」とは、物体の加速度やジャーク、あるいは「行動状態」（例えば車線変更をしている、またはしようとしているか否か）を含んでもよい。
【００３９】
また、周辺認識部１３２は、例えば、自動運転車両が走行している車線（走行車線）を認識する。例えば、周辺認識部１３２は、第２地図情報６２から得られる道路区画線のパターン（例えば実線と破線の配列）と、カメラ１０によって撮像された画像から認識される自動運転車両の周辺の道路区画線のパターンとを比較することで、走行車線を認識する。なお、周辺認識部１３２は、道路区画線に限らず、道路区画線や路肩、縁石、中央分離帯、ガードレールなどを含む走路境界（道路境界）を認識することで、走行車線を認識してもよい。この認識において、ナビゲーション装置５０から取得される自動運転車両の位置やＩＮＳによる処理結果が加味されてもよい。また、周辺認識部１３２は、一時停止線、障害物、赤信号、料金所、その他の道路事象を認識する。
【００４０】
周辺認識部１３２は、走行車線を認識する際に、走行車線に対する自動運転車両の位置や姿勢を認識する。周辺認識部１３２は、例えば、自動運転車両の基準点の車線中央からの乖離、および自動運転車両の進行方向の車線中央を連ねた線に対してなす角度を、走行車線に対する自動運転車両の相対位置および姿勢として認識してもよい。これに代えて、周辺認識部１３２は、走行車線のいずれかの側端部（道路区画線または道路境界）に対する自動運転車両の基準点の位置などを、走行車線に対する自動運転車両の相対位置として認識してもよい。
【００４１】
周辺認識部１３２は、カメラ１０によって撮像された画像から認識される自車両Ｍの周辺車両と、カメラ１０により撮像された画像、ナビゲーション装置５０により取得された自車両Ｍの周辺の渋滞情報、または第２地図情報６２から得られる位置情報に基づいて、周辺車両、特に自車両Ｍの前走車両（以下、前走車両ｍＡ１）の位置に関する情報を認識する。
【００４２】
なお、周辺認識部１３２は、車車間通信により自車両Ｍの周囲を走行する車などから受信した各種情報を、通信装置２０を介して取得し、その情報に基づいて自車両Ｍの周辺を認識してもよい。
【００４３】
また、周辺認識部１３２は、少なくともカメラ１０によって撮像された画像、または第２地図情報６２から得られる位置情報のいずれか一方に基づいて、進行方向に停車回避エリアがあるか否かを認識する。停車回避エリアとは、例えば、踏切、交差点、消防署や救急病院等における車両出入り口に面する道路、横断歩道、安全地帯、バス・路面電車等の停留所などの、車両が停止することが好ましく無い領域である。周辺認識部１３２は、例えば、第２地図情報６２に基づいて停車回避エリアを認識してもよいし、カメラ１０により撮像された画像における停車回避エリアを示す標識や道路標示に基づいて停車回避エリアを認識してもよい。
【００４４】
推定部１３４は、周辺認識部１３２により取得された前走車両ｍＡ１の現在位置と、操舵および加減速を認識し、特定場面が発生するかを推定する。特定場面とは、例えば、停車回避エリアに、前走車両ｍＡ１が停車することである。なお、前走車両ｍＡ１が操舵または加減速に関する情報を周辺車両に通信する機能を有する場合、周辺認識部１３２は、通信装置２０により受信された前走車両ｍＡ１の加減速や停車に関する情報に基づいて、前走車両ｍＡ１の減速度合を認識し、前走車両が停止すると推定してもよい。
【００４５】
推定部１３４は、前走車両ｍＡ１が停止すると推定し、且つ、周辺認識部１３２により進行方向に停車回避エリアが存在すると認識された場合に、前走車両ｍＡ１が停車回避エリア内で停止してしまうか否かを推定する。
【００４６】
行動計画生成部１４０は、原則的には推奨車線決定部６１により決定された推奨車線を走行し、更に、自車両Ｍの周辺状況に対応した自動運転が実行されるように、自車両Ｍが将来走行する目標軌道を生成する。目標軌道は、例えば、速度要素を含んでいる。例えば、目標軌道は、自車両Ｍの到達すべき地点（軌道点）を順に並べたものとして表現される。軌道点は、道なり距離で所定の走行距離（例えば数［ｍ］程度）ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。
【００４７】
行動計画生成部１４０は、例えば、特定場面制御部１４２を備える。
【００４８】
特定場面制御部１４２は、推定部１３４により前走車両ｍＡ１が停車回避エリア内で停止してしまうと推定された場合、前走車両が停車回避エリアを抜け出せるように、前走車両停車スペースＡ１を仮想的に設定し、前走車両停車スペースＡ１を確保するように目標軌道を生成する。「確保する」とは、自車両Ｍの前端部が前走車両停車スペースＡ１よりも後方にある（自車両Ｍの前方に十分な空きスペースがある）場合であれば、自車両ＭをスペースＡ１の手前で停止させることであり、自車両Ｍの前端部がスペースＡ１に侵入している（または既に通り過ぎている）場合であれば、後方車両の位置および挙動を見ながら自車両Ｍを後退させることである。
【００４９】
第２制御部１６０は、行動計画生成部１４０によって生成された目標軌道を、予定の時刻通りに自動運転車両が通過するように、走行駆動力出力装置２００、ブレーキ装置２１０、およびステアリング装置２２０を制御する。行動計画生成部１４０と第２制御部１６０を合わせたものは「運転制御部」の一例である。
【００５０】
図２に戻り、第２制御部１６０は、例えば、取得部１６２と、速度制御部１６４と、操舵制御部１６６とを備える。取得部１６２は、行動計画生成部１４０により生成された目標軌道（軌道点）の情報を取得し、メモリ（不図示）に記憶させる。速度制御部１６４は、メモリに記憶された目標軌道に付随する速度要素に基づいて、走行駆動力出力装置２００またはブレーキ装置２１０を制御する。操舵制御部１６６は、メモリに記憶された目標軌道の曲がり具合に応じて、ステアリング装置２２０を制御する。速度制御部１６４および操舵制御部１６６の処理は、例えば、フィードフォワード制御とフィードバック制御との組み合わせにより実現される。一例として、操舵制御部１６６は、自動運転車両の前方の道路の曲率に応じたフィードフォワード制御と、目標軌道からの乖離に基づくフィードバック制御とを組み合わせて実行する。
【００５１】
通知制御部１８０は、例えば、自車両Ｍの周辺車両に通知を行う際に、自車両Ｍのライトやホーン、スピーカ等を制御する。通知制御部１８０は、通信装置２０を介して車車間通信（Ｖ２Ｖ通信）により周辺車両に通信することにより行う通知を制御するものであってもよい。
【００５２】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵとを備える。ＥＣＵは、第２制御部１６０から入力される情報、或いは運転操作子８０から入力される情報に従って、上記の構成を制御する。
【００５３】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、第２制御部１６０から入力される情報、或いは運転操作子８０から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、第２制御部１６０から入力される情報に従ってアクチュエータを制御して、マスターシリンダの油圧をシリンダに伝達する電子制御式油圧ブレーキ装置であってもよい。
【００５４】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、第２制御部１６０から入力される情報、或いは運転操作子８０から入力される情報に従って、電動モータを駆動し、転舵輪の向きを変更させる。
【００５５】
［踏切付近における認識処理］
以下、認識部１３０による踏切付近における認識処理について説明する。
【００５６】
図３は、踏切付近における自車両Ｍの前方風景の一例を示す図である。認識部１３０は、例えば、踏切を通る自車両Ｍが走行する車線Ｒ０、踏切を通る車線Ｒ０の対向車線Ｒ１、前走車両ｍＡ１、前走車両ｍＡ１より進行方向（図中のＸ軸方向）側に位置する他車両ｍＡ２、対向車線の他車両ｍＤ、遮断機ＲＣ０などの位置、および必要に応じて速度を認識する。また、認識部１３０は、車線Ｒ０上の停止線ＳＬ０、および車線Ｒ１の停止線ＳＬ１を認識する。
【００５７】
周辺認識部１３２は、例えば、遮断機ＲＣ０およびＲＣ１の位置、停止線ＳＬ０およびＳＬ１の位置や、踏切内を示す区画線または区画色に基づいて、停車回避エリアＣＡを認識する。周辺認識部１３２は、図３に示す例においては、車線Ｒ０およびＲ１の区画線と、停止線ＳＬ０およびＳＬ１とに基づいて、停車回避エリアＣＡを認識する。周辺認識部１３２は、車線Ｒ０およびＲ１の区画線と、遮断器ＲＣ０およびＲＣ１とに基づいて、停車回避エリアＣＡを認識してもよい。
【００５８】
図４は、踏切付近の前方風景を平面図にしたものである。周辺認識部１３２は、例えば、まず図３に示した前方風景の中で（例えばカメラ画像で）認識した上記各交通要素を、上空から見た平面上の位置に変換した上で処理を行う。以下の説明は平面図を用いて行う。
【００５９】
［推定処理］
推定部１３４は、認識部１３０による上記の認識結果に基づいて、前走車両ｍＡ１が踏切内に停止すること（停止している、または、停止しそうなこと）を推定する。推定部１３４は、例えば、周辺認識部１３２により認識され、又は通信装置２０により受信された前走車両ｍＡ１の速度や加減速に関する情報に基づいて、加減速度一定といった仮定の下、所定時間経過後（例えば、０コンマ数［ｓｅｃ］後）の速度を推定し、推定した速度がゼロ近傍（例えば１［ｋｍ／ｈ］未満）である場合に、前走車両ｍＡ１が停止すると推定する。
【００６０】
推定部１３４は、前走車両ｍＡ１が停止すると推定した場合、速度や加減速に基づいて、加減速度一定といった仮定の下、停止するまでの前走車両ｍＡ１の走行距離を計算する。推定部１３４は、前走車両ｍＡ１の現在の位置（例えば後端部）から計算した走行距離分進行方向側に移動した位置に後端部がある状態で停止すると推定する。
【００６１】
推定部１３４は、前走車両ｍＡ１の後端部の位置と停車回避エリアＣＡの位置関係に基づいて、前走車両ｍＡ１が踏切内に停止することを推定する。
【００６２】
具体的に、推定部１３４は、前走車両ｍＡ１の後端部の位置が停止線ＳＬ１よりも進行方向とは逆方向側にあり、且つ前走車両ｍＡ１が停止している場合、前走車両ｍＡ１が踏切内に停止すると推定する。停止線の位置は、停車回避エリアの境界線の一つとみなせるからである。
【００６３】
また、推定部１３４は、前走車両ｍＡ１の後端部の位置が遮断機ＲＣ１よりも進行方向とは逆方向側にあり、且つ前走車両ｍＡ１が停止しつつある場合、後端部の位置と計算した停止するまでの前走車両ｍＡ１の走行距離が、前走車両ｍＡ１の走行距離よりも長い場合、前走車両ｍＡ１が踏切内に停止すると推定する。
【００６４】
推定部１３４は、図４の例において、前走車両ｍＡ１が停止している場合、或いは、前走車両ｍＡ１の後端部の位置と停車回避エリアＣＡの端部との距離Ｌが、計算した停止するまでの前走車両ｍＡ１の走行距離よりも長い場合に、前走車両ｍＡ１が踏切内に停止すると推定する。
【００６５】
［前走車両用のスペース］
特定場面制御部１４２は、推定部１３４により前走車両ｍＡ１が踏切内に停止すると推定された場合に前走車両用のスペースＡ１を確保する。特定場面制御部１４２は、周辺認識部１３２により認識された前走車両ｍＡ１の車種などに基づいて、スペースＡ１のサイズを決定する。特定場面制御部１４２は、スペースＡ１の進行方向側の端部を、停止線ＳＬ０を基準として定める。
【００６６】
特定場面制御部１４２は、スペースＡ１のサイズを決定する際に、周辺認識部１３２による前走車両ｍＡ１の認識結果に基づいて前走車両ｍＡ１の車体の大きさ（全長および車幅）を推定してスペースＡ１を確保する。特定場面制御部１４２は、車車間通信等を介して前走車両ｍＡ１より受信した情報に、前走車両ｍＡ１の車種に関する情報が含まれる場合には、その情報に基づいて車体の大きさを推定してスペースＡ１を確保する。また、特定場面制御部１４２は、周辺認識部１３２による認識結果から前走車両ｍＡ１の車体の全長が推定できなかった場合には、自車両Ｍと同程度の全長であると推定してもよい。
【００６７】
前述したように、特定場面制御部１４２は、前走車両停車スペースＡ１を確保するように目標軌道を生成する。特定場面制御部１４２は、自車両ＭがスペースＡ１を既に通過している、または侵入している場合には自車両Ｍを後退させ、自車両ＭがスペースＡ１に到達していない場合には自車両ＭをスペースＡ１の手前に停車させる。図４の例では、自車両Ｍは前端部がスペースＡ１に入り込んでいるため、後方車両が存在する場合にはその車両と調整した上で、後退させる。
【００６８】
［前走車両への通知］
通知制御部１８０は、例えば、特定場面制御部１４２によりスペースＡ１を空けるように自車両Ｍを後退させる制御が行われる場合、後退し終えてスペースＡ１が確保できたタイミングや、後退を開始するタイミングで、前走車両ｍＡ１にスペースＡ１を通知する。通知制御部１８０は、特定場面制御部１４２によりスペースＡ１の手前で自車両Ｍを停止させる場合、自車両を停止させる位置を決定したタイミングや、スペースＡ１の確保を開始するタイミング、またはスペースＡ１の確保ができたタイミングで前走車両ｍＡ１にスペースＡ１を通知する。
【００６９】
通知制御部１８０は、例えば、スペースＡ１に該当する地面を照明することで前走車両ｍＡ１にスペースＡ１に移動可能であることを通知する。その場合、通知制御部１８０は、例えば、ヘッドライトの照射をスリット等で絞って地面を照明してもよいし、自車両Ｍのバンパー付近にスペースＡ１を通知する専用の照明装置（不図示）を備える場合にはその照明装置を制御することでスペースＡ１を前走車両ｍＡ１に通知してもよい。
【００７０】
また、通知制御部１８０は、自車両Ｍのヘッドライトを点灯または点滅させたり、ホーンを鳴動させたり、スピーカに前走車両ｍＡ１に後退を促す音声を流させたりすることで前走車両ｍＡ１にスペースＡ１を通知してもよい。また、通知制御部１８０は、前走車両ｍＡ１にスペースＡ１を通知するメッセージを送信することで通知してもよい。
【００７１】
なお、通知制御部１８０は、前走車両ｍＡ１への前走車両用エリアＡ１の通知と同時に、停車回避エリアＣＡに車両が停車していることを鉄道会社等に知らせる通信を通信装置２０に行わせてもよい。
【００７２】
通知制御部１８０は、例えば、周辺認識部１３２により前走車両ｍＡ１が通知を検知して後退を始めたことを認識された場合や、前走車両ｍＡ１が前進または後退することで停車回避エリアを抜けたことを認識された場合、または前走車両ｍＡ１がスペースＡ１に到達したことを認識された場合に通知を停止する。
【００７３】
［交差点付近の認識処理］
図５は、交差点付近の自車両Ｍと前走車両ｍＡ１との位置を説明する平面図である。周辺認識部１３２は、例えば、まず前方風景の中で認識した各交通要素を、上空から見た平面上の位置に変換した上で処理を行う。周辺認識部１３２は、例えば、横断歩道ＣＲ０およびＣＲ１の位置や、停止線ＳＬ０およびＳＬ１の位置に基づいて、停車回避エリアＣＡを認識する。
【００７４】
［交差点付近の停車回避エリアに停車することの推定処理］
推定部１３４は、前走車両ｍＡ１が停車回避エリアＣＡ内に停車するか否かを推定する。推定部１３４は、図５に示す例においては、平面視で停止線ＳＬ０や横断歩道ＣＲ０の位置と前走車両ｍＡ１の後端部の位置とを推定し、さらに前走車両ｍＡ１の車体の大きさを推定した上で、前走車両ｍＡ１の前端部の位置を推定することで、前走車両ｍＡ１が停車回避エリアＣＡ内に停車するか否かを推定する。前走車両ｍＡ１の後端部が停車回避エリアＣＡの外に位置する場合であっても、前端部が停車回避エリアＣＡの内側に位置する可能性があるためである。
【００７５】
［前走車両用のスペース２］
特定場面制御部１４２は、推定部１３４により前走車両ｍＡ１が停車回避エリアＣＡ内に停車すると推定された場合、スペースＡ１を確保し、通知制御部１８０にスペースＡ１を通知させる。
【００７６】
［他の停車回避エリアの認識処理］
図６は、前走車両ｍＡ１の位置を説明する平面図である。周辺認識部１３２は、例えば、まず前方風景の中で認識した交通要素を、上空から見た平面上の位置に変換した上で処理を行う。周辺認識部１３２は、例えば、カメラ１０が撮像した画像または第２地図情報６２の一方または両方に基づいて、停車回避エリアＣＡを示す停留所や、標識、標示などの交通要素を認識する。停車回避エリアＣＡを示す交通要素は、一般車両の停車が制限された領域を示すものであり、例えば、消防署や救急病院の緊急車両出入口などに示される。
【００７７】
［他の停車回避エリアに停車することの推定処理］
推定部１３４は、前走車両ｍＡ１が停車回避エリアＣＡ内に停車するか否かを推定する。推定部１３４は、図６に示す例においては、平面視で停車回避エリアＣＡと前走車両ｍＡ１の後端部の位置とを認識することで、前走車両ｍＡ１が停車回避エリアＣＡ内に停車するか否かを推定する。特定場面制御部１４２は、推定部１３４により前走車両ｍＡ１が停車回避エリアＣＡ内に停車すると推定された場合、スペースＡ１を確保し、通知制御部１８０にスペースＡ１を通知させる。
【００７８】
［前走車両用のスペース３］
なお、特定場面制御部１４２は、推定部１３４により前走車両ｍＡ１が停車回避エリアＣＡ内に停車すると推定された場合、その停車回避エリアＣＡの種別や、周辺状況に基づいてスペースＡ１を確保するか否かを判定するものであってもよい。特定場面制御部１４２は、例えば、図６に示すように緊急車両ｍＡ４が停車回避エリアＣＡ付近を通行したり、前走車両ｍＡ１に接近したりすると推定部１３４により推定される場合、スペースＡ１を確保するが、緊急車両ｍＡ４が前走車両ｍＡ１に接近しないと推定部１３４により推定される場合には、周辺状況に対応してスペースＡ１を確保するか否かを決定するものであってもよい。特定場面制御部１４２は、例えば、前走車両ｍＡ１以外の多数の周辺車両が移動しなければスペースＡ１が確保できない場合や、自車両Ｍの進行方向後方の混雑の度合に応じて、スペースＡ１を確保するか否かを決定する。
【００７９】
［処理フロー］
以下、車両制御装置１００による一連の処理の流れを、フローチャートを用いて説明する。図７は、車両制御装置１００の処理の流れの一例を示すフローチャートである。本フローチャートの処理は、例えば、所定の周期で繰り返し実行されてよい。
【００８０】
まず、周辺認識部１３２は、自車両Ｍの周辺を認識する（ステップＳ１００）。次に、周辺認識部１３２は、自車両Ｍの進行方向に停車回避エリアＣＡがあるか否かを判定する（ステップＳ１０２）。停車回避エリアＣＡがないと判定した場合、周辺認識部１３２は、処理を終了する。周辺認識部１３２により停車回避エリアＣＡがあると判定された場合、推定部１３４は、自車両Ｍの前走車両ｍＡ１の状態を推定する（ステップＳ１０４）。
【００８１】
次に、推定部１３４は、前走車両ｍＡ１が停止すると推定されるか否かを判定する（ステップＳ１０６）。前走車両ｍＡ１が停止すると推定しなかった場合、推定部１３４は、処理を終了する。前走車両ｍＡ１が停止すると推定した場合、推定部１３４は、前走車両ｍＡ１の停止位置を推定する（ステップＳ１０８）。
【００８２】
次に、推定部１３４は、前走車両ｍＡ１が停車回避エリアＣＡ内で停止するか否かを判定する（ステップＳ１１０）。前走車両ｍＡ１が停車回避エリアＣＡ内で停止しないと判定した場合、推定部１３４は、処理を終了する。前走車両ｍＡ１が停車回避エリアＣＡ内で停止すると判定した場合、推定部１３４は、前走車両ｍＡ１に対するスペースＡ１を確保して（ステップＳ１１２）、前走車両ｍＡ１にそのスペースＡ１を通知制御部１８０に通知させる（ステップＳ１１４）。以上、本フローチャートの処理の説明を終了する。
【００８３】
以上説明したように、第１の実施形態によれば、自車両Ｍの操舵および速度を制御する行動計画生成部１４０および第２制御部１６０と、自車両Ｍの周辺環境を認識する認識部１３０と、を備え、認識部１３０により、自車両の進行方向において車両が停止することが好ましく無い停車回避エリアＣＡに前走車両ｍＡ１が停止してしまうと推定部１３４により推定された場合、前走車両ｍＡ１が停車回避エリアＣＡから後退して自車両Ｍの前方に停止するためのスペースＡ１を確保するように、自車両Ｍの速度または操舵を制御することにより、前走車両ｍＡ１が停車回避エリアＣＡで停止しないようにすることができ、より他車両に配慮した自動運転を実現することができる。
【００８４】
＜第２の実施形態＞
以下、第２の実施形態の車両システム１Ａについて説明する。なお、以下の説明において、第１の実施形態と同一の構成及び機能については第１の実施形態と同一の符号を付し、詳細な説明を省略する。また、第１の実施形態と同じ名称であるが構成または機能が異なるものについては、符号の末尾に「Ａ」を付すものとする。
【００８５】
［踏切付近の認識処理２］
図８は、踏切付近の前走車両ｍＡ１の位置を説明する平面図である。認識部１３０は、例えば、自車両Ｍが走行する車線Ｒ０と、その対向車線Ｒ１と、前走車両ｍＡ１と、前走車両ｍＡ１より進行方向（図中のＸ軸方向）前方に位置するＭＡ２と、対向車線の他車両ＭＡ３と、自車両Ｍの後方車両ｍＡ５と、遮断機ＲＣ０とを認識する。また、認識部１３０は、車線Ｒ０上の停止線ＳＬ０と、車線Ｒ１の停止線ＳＬ１とを認識する。また、認識部１３０は、遮断機ＲＣ０が設置された線路に沿って敷設された側道Ｒ２を認識する。
【００８６】
［踏切付近の停車回避エリアに停車することの推定処理２］
推定部１３４Ａは、認識部１３０によるこれらの認識結果に基づいて、前走車両ｍＡ１が踏切内にあたる停車回避エリアＣＡに停止すること（または、停止しそうなこと）を推定する。
【００８７】
推定部１３４Ａは、前走車両ｍＡ１が停車回避エリアＣＡ内に停止すると推定した場合に、まず自車両Ｍを後退させてスペースＡ１を確保することができるか否かを判定する。特定場面制御部１４２は、推定部１３４Ａにより自車両Ｍを後退させてスペースＡ１を確保することができると判定された場合には、自車両Ｍを後退させ、前走車両ｍＡ１にスペースＡ１を通知する。
【００８８】
推定部１３４Ａは、後方車両ｍＡ５などが存在し、自車両Ｍが後退することが容易でない場合、自車両Ｍを後退させてスペースＡ１を確保することができないと判定し、自車両Ｍが進路を変更して移動することでスペースＡ１を確保することができるか否かを判定する。
【００８９】
推定部１３４Ａは、例えば、図８に示すように側道Ｒ２のスペースＡ２に自車両Ｍを移動させることで、自車両Ｍが現在停止している位置をスペースＡ１とすることができると推定し、特定場面制御部１４２Ａに推定結果を出力する。
【００９０】
［前走車両用のスペース４］
特定場面制御部１４２Ａは、通知制御部１８０に前走車両ｍＡ１にスペースＡ１を通知するよう、ヘッドライトやホーン等を制御させる。特定場面制御部１４２Ａは、自車両ＭがスペースＡ（Ｍ）に移動することで、スペースＡ１に該当する地面を照明することが困難になると想定され、且つ、後方車両ｍＡ５が地面を照明する機能を有する場合には、通信装置２０を介して後方車両ｍＡ５にスペースＡ１に該当する地面を照明するよう依頼してもよい。
【００９１】
ただし、推定部１３４Ａは、後方車両ｍＡ５のさらに後方に車両が停車しておらず、後方車両ｍＡ５が自車両Ｍと同様に後退することができると推定される場合（例えば、後方車両ｍＡ５が後退に即時同意し、後退を開始する場合）には、自車両Ｍを後退させてスペースＡ１を確保することができると判定してもよい。その場合、特定場面制御部１４２Ａは、後方車両ｍＡ５に後退するよう通知し、後方車両ｍＡ５が後退を開始したことを確認した後に、前走車両ｍＡ１にスペースＡ１を通知する。
【００９２】
特定場面制御部１４２は、推定部１３４Ａにより自車両Ｍを移動させてスペースＡ１を確保することができないと判定した場合には、停車回避エリアＣＡに車両が停車していることを鉄道会社等に知らせる通信を通信装置２０に行わせる。
【００９３】
［処理フロー］
以下、第２の実施形態の車両制御装置１００Ａによる一連の処理の流れを、フローチャートを用いて説明する。図９は、車両制御装置１００Ａの処理の流れの一例を示すフローチャートである。本フローチャートの処理は、例えば、所定の周期で繰り返し実行されてよい。なお、図９に示すフローチャートのステップＳ２００〜Ｓ２１０の処理は、図７のフローチャートのステップＳ１００〜Ｓ１１０と対応する。また、図９に示すフローチャートのステップＳ２１６〜Ｓ２１８の処理は、図７のフローチャートのステップＳ１１２〜Ｓ１１４と対応する。
【００９４】
まず、周辺認識部１３２は、自車両Ｍの周辺を認識する（ステップＳ２００）。次に、周辺認識部１３２は、自車両Ｍの進行方向に停車回避エリアＣＡがあるか否かを判定する（ステップＳ２０２）。停車回避エリアＣＡがないと判定した場合、周辺認識部１３２は、処理を終了する。周辺認識部１３２により停車回避エリアＣＡがあると判定された場合、推定部１３４Ａは、自車両Ｍの前走車両ｍＡ１の状態を推定する（ステップＳ２０４）。
【００９５】
次に、推定部１３４Ａは、前走車両ｍＡ１が停止すると推定されるか否かを判定する（ステップＳ２０６）。前走車両ｍＡ１が停止すると推定しなかった場合、推定部１３４Ａは、処理を終了する。前走車両ｍＡ１が停止すると推定した場合、推定部１３４Ａは、前走車両ｍＡ１の停止位置を推定する（ステップＳ２０８）。
【００９６】
次に、推定部１３４Ａは、前走車両ｍＡ１が停車回避エリアＣＡ内で停止するか否かを判定する（ステップＳ２１０）。前走車両ｍＡ１が停車回避エリアＣＡ内で停止しないと判定した場合、推定部１３４Ａは、処理を終了する。前走車両ｍＡ１が停車回避エリアＣＡ内で停止すると判定した場合、推定部１３４Ａは、後退または停止によって前走車両ｍＡ１に対するスペースＡ１を確保できるか否かを判定する（ステップＳ２１２）。スペースＡ１を確保できると判定した場合、推定部１３４Ａは、前走車両ｍＡ１に対するスペースＡ１を確保して（ステップＳ２１４）、通知制御部１８０にそのスペースＡ１を通知させて（ステップＳ２１６）、処理を終了する。
【００９７】
ステップＳ２１２において、スペースＡ１を確保できないと判定した場合、推定部１３４Ａは、自車両ＭをスペースＡ２に移動させたり、後方車両ｍＡ５などの周辺車両に移動依頼を通知したりすることでスペースＡ１の確保を試みる（ステップＳ２１８）。推定部１３４Ａは、前走車両ｍＡ１に対するスペースＡ１を確保できるか否かを再度判定し（ステップＳ２２０）、スペースＡ１を確保できると判定した場合、ステップＳ２１４に処理を進める。スペースＡ１を確保できないと判定した場合、停車回避エリアＣＡを管轄する鉄道会社等に通報する（ステップＳ２２２）。以上、本フローチャートの処理の説明を終了する。
【００９８】
＜その他の実施形態＞
車両制御装置１００は、前走車両ｍＡ１が停車回避エリアＣＡに停車することを推定する例を示したが、他の周辺車両が停車回避エリアＣＡに停車することを推定した際に同様に周辺車両停車用スペースを確保するものであってもよい。
【００９９】
図１０は、後方車両ｍＡ５の位置を説明する平面図である。推定部１３４Ａは、自車両Ｍの進行方向の後方（図中Ｘ軸方向とは逆の方向）に存在する停車回避エリアＣＡ内に、後方車両ｍＡ５が停止することを推定した場合、自車両Ｍが前進することで後方車両停車用スペースであるスペースＡ３を確保する。その際、特定場面制御部１４２は、自車両Ｍが前進するためのスペースを捻出するよう、先行車両ｍＡ１に依頼してもよい。
【０１００】
特定場面制御部１４２は、スペースＡ３を確保したことを後方車両ｍＡ５に通知制御部１８０に通知させる。
【０１０１】
以上説明したように、第２の実施形態によれば、第１の実施形態と同様の効果を奏する他、認識部１３０により、自車両の進行方向において車両が停止することが好ましく無い停車回避エリアＣＡに他車両が停止してしまうと推定部１３４Ａにより推定された場合、他車両が停車回避エリアＣＡから抜け出して停止するための領域を確保することができないと推定された場合には自車両Ｍの進路を変更することでスペースＡ１を確保することにより、他車両が停車回避エリアＣＡで停止しないようにすることができ、より他車両に配慮した自動運転を実現することができる。
【０１０２】
［ハードウェア構成］
図１１は、実施形態の各種制御装置のハードウェア構成の一例を示す図である。図示するように、各種制御装置は、通信コントローラ１００−１、ＣＰＵ１００−２、ワーキングメモリとして使用されるＲＡＭ１００−３、ブートプログラムなどを格納するＲＯＭ１００−４、フラッシュメモリやＨＤＤなどの記憶装置１００−５、ドライブ装置１００−６などが、内部バスあるいは専用通信線によって相互に接続された構成となっている。通信コントローラ１００−１は、自動運転制御装置１００以外の構成要素との通信を行う。記憶装置１００−５には、ＣＰＵ１００−２が実行するプログラム１００−５ａが格納されている。このプログラムは、ＤＭＡ（Direct Memory Access）コントローラ（不図示）などによってＲＡＭ１００−３に展開されて、ＣＰＵ１００−２によって実行される。これによって、第１制御部１２０、第２制御部１６０のうち一部または全部が実現される。
【０１０３】
上記説明した実施形態は、以下のように表現することができる。
プログラムを記憶した記憶装置と、
ハードウェアプロセッサと、を備え、
前記ハードウェアプロセッサは、前記記憶装置に記憶されたプログラムを実行することにより、
自車両の操舵および速度を制御し、
前記自車両の周辺環境を認識し、
前記認識において、前記自車両の進行方向において車両が停止することが好ましく無い領域に前走車両が停止してしまうと推定された場合、前記前走車両が前記領域を後退して自車両の前方に停止するためのスペースを空けるように前記自車両の速度または操舵を制御する、
ように構成されている、車両制御装置。
【０１０４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１０５】
１、１Ａ…車両システム、１０…カメラ、１２…レーダ装置、１４…ファインダ、１６…物体認識装置、２０…通信装置、４０…車両センサ、５０…ナビゲーション装置、５１…ＧＮＳＳ受信機、５３…経路決定部、６１…推奨車線決定部、８０…運転操作子、１００、１００Ａ…車両制御装置、１２０…第１制御部、１３０…認識部、１３２…周辺認識部、１３４、１３４Ａ…推定部、１４０…行動計画生成部、１４２、１４２Ａ…特定場面制御部、１６０…第２制御部、１６２…取得部、１６４…速度制御部、１６６…操舵制御部、１８０…通知制御部、２００…走行駆動力出力装置、２１０…ブレーキ装置、２２０…ステアリング装置
【図１】
2020082802.tif 000003
【図２】
2020082802.tif 000004
【図３】
2020082802.tif 000005
【図４】
2020082802.tif 000006
【図５】
2020082802.tif 000007
【図６】
2020082802.tif 000008
【図７】
2020082802.tif 000009
【図８】
2020082802.tif 000010
【図９】
2020082802.tif 000011
【図１０】
2020082802.tif 000012
【図１１】
2020082802.tif 000013